【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
被検体にコーン形状のＸ線ビームを曝射するＸ線曝射手段と、
前記コーン形状のＸ線ビームのうち、前記被検体を透過した少なくとも一部を複数の検出素子にて検出するＸ線検出手段と、
前記Ｘ線検出手段が検出したＸ線に基づいて投影データのセットを収集する手段であって、
第１の軌道に沿ってコーン形状のＸ線ビームを前記Ｘ線曝射手段から前記対象物に曝射して得られる第１の投影データのセットと、前記第１の軌道とは異なる第２の軌道に沿ってコーン形状のＸ線ビームを前記Ｘ線曝射手段から前記対象物に曝射して得られる第２の投影データのセットと、を収集する投影データ収集手段と、
前記第１の投影データの一部を抽出する抽出手段と、
前記第２の投影データに所定の重み付けを行う重み付け手段と、
前記第１の投影データのセットと、重み付けされた前記第２の投影データのセットとからボリュームデータを再構成する再構成手段と、
を具備することを特徴とするＸ線ＣＴ装置。
【請求項２】
前記第１の軌道は、前記被検体を中心とした円形軌道であり、
前記第２の軌道は、螺旋軌道又は直線軌道の少なくとも一方の軌道を含むこと、
を特徴とする請求項１記載のＸ線ＣＴ装置。
【請求項３】
前記再構成手段は、前記第２の投影データのセットを使用して前記第１の投影データから再構成された近似ボリュームデータを補正することを特徴とする請求項１記載のＸ線ＣＴ装置。
【請求項４】
前記再構成手段は、前記近似ボリュームデータに、前記第２の投影データのセットを加算することを特徴とする請求項３記載のＸ線ＣＴ装置。
【請求項５】
所定の表示形式にて前記ボリュームデータを表示する表示手段と、
前記再構成手段が前記ボリュームデータを再構成した後、所定の遅延にて前記ボリュームデータを表示するように、前記再構成手段及び前記表示手段を制御する制御手段と、
をさらに具備することを特徴とする請求項１記載のＸ線ＣＴ装置。
【請求項６】
前記投影データ収集手段は、前記第２の投影データのセットを収集した後に、前記第１の投影データのセットを収集することを特徴とする請求項１記載のＸ線ＣＴ装置。
【請求項７】
前記投影データ収集手段は、前記第１の投影データのセットを収集した後に、前記第２の投影データのセットを収集することを特徴とする請求項１記載のＸ線ＣＴ装置。
【請求項８】
前記第２の軌道は、複数の平行移動を含む軌道であることを特徴とする請求項１記載のＸ線ＣＴ装置。
【請求項９】
前記複数の平行移動のうちの第１の平行移動は、前記第１の投影データのセットの収集よりも優先して実行され、
前記複数の平行移動のうちの第２の平行移動は、前記第１の投影データのセットの収集後に実行されること、
を特徴とする請求項８記載のＸ線ＣＴ装置。
【請求項１０】
前記データ収集手段は、前記Ｘ線ビームを前記被検体の周りに一或いはそれ以上回転させることで前記第１の投影データのセットを収集することを特徴とする請求項１乃至請求項９のうちいずれか一項記載のＸ線ＣＴ装置。
【請求項１１】
前記再構成手段は、前記第１の投影データのセットからの重複する投影データを重み付けして、前記ボリュームデータを再構成する重み付け手段を有することを特徴とする請求項１記載のＸ線ＣＴ装置。
【請求項１２】
前記再構成手段は、前記第１の投影データからの重複する投影データであって、１８０°にファン角度を加えた角度より大きく３６０°より小さな角度範囲の重複する投影データに重み付けを行う重み付け手段を有することを特徴とする請求項１記載のＸ線ＣＴ装置。
【請求項１３】
投影データ収集手段は、定期的な時間間隔にて前記第２の投影データを収集することを特徴とする請求項１記載のＸ線ＣＴ装置。
【請求項１４】
対象物を透過したコーン形状のＸ線ビームに基づく第１の投影データのセットを、直線軌道に沿って取得する第１のデータ取得手段と、
前記対象物を透過したコーン形状のＸ線ビームに基づく第２の投影データのセットを、前記対象物と前記コーン形状のＸ線ビームとの間の相対的な回転による円形軌道に沿って取得する第２のデータ取得手段と、
前記第１の投影データのセットと前記第２の投影データのセットの少なくとも一部とからボリュームデータを再構成し、前記第１の投影データの少なくとも一部から、少なくとも一の位置及び前記第２の投影データのセットの少なくとも一部の範囲におけるスキャノグラムを取得するデータ発生手段と、
を具備することを特徴とするＸ線ＣＴ装置。
【請求項１５】
被検体を中心とした略円形状の第１の軌道に沿って、第１の時刻を中心とした第１の期間に渡って収集された少なくとも一つのスキャンデータのサブセットを有する第１のデータのセットを収集するステップと、
前記第１の軌道とは異なる第２の軌道に沿って、第２の期間に渡って収集された第２のデータのセットを収集するステップと、
前記スキャンデータのサブセットと前記第２のデータのセットとを使用して、前記第１の時刻に存在するデータとしてボリュームデータを再構成するステップと、
を具備することを特徴とするボリューム画像化方法。
【請求項１６】
前記スキャンデータのサブセットは、前記対象物についての完全なボリュームデータを再構成し得る最小の完全データのセットを有することを特徴とする請求項１５記載のボリューム画像化方法。
【請求項１７】
前記スキャンデータのサブセットは、前記第１の軌道に沿った完全な一回転スキャンによって収集された完全回転データのセットを有することを特徴とする請求項１５又は１６記載のボリューム画像化方法。
【請求項１８】
前記スキャンデータのサブセットは、前記第１の軌道に沿った完全な一回転スキャンによって収集された完全回転データのセットと、前記最小の完全データのセット以外のデータセットであって、前記第１の軌道に沿った完全な一回転スキャンを越えた当該第１の軌道の部分的な円弧に沿った回転スキャンによって収集された部分回転データのセットと、を有することを特徴とする請求項１５記載のボリューム画像化方法。
【請求項１９】
前記第１のデータのセットから、第２の時刻を中心とした第２の期間に渡って収集された第２のスキャンデータのサブセットを選択するステップと、
前記第２のデータのセットと前記第２のスキャンデータのサブセットとを使用して、前記第２の時刻に存在するデータとしてボリュームデータを再構成するステップと、
を具備することを特徴とする請求項１５記載のボリューム画像化方法。
【請求項２０】
前記第１のデータのセットから、第３の時刻を中心とした第３の期間に渡って収集されたさらなるスキャンデータのサブセットを選択すること、及び当該サブセットに対して再構成を行うことを繰り返すステップを具備することを特徴とする請求項１９記載のボリューム画像化方法。
【請求項２１】
前記第１のデータのセットを収集するステップは、前記第２データのセットを収集するステップより優先的に実行されることを特徴とする請求項１５記載のボリューム画像化方法。
【請求項２２】
第４の期間に渡って、前記第２の軌道に沿って第４のデータのセットを収集するステップと、
前記第４のデータのセットの少なくとも一のポイントと、前記第２のデータのセットの少なくとも一のポイントと、に重み付けをすることで、前記第１のデータのセットの前記スキャンデータのサブセットと共に前記再構成するステップにおいて使用される、重み付けされた第２のデータのセットのポイントを生成するステップと、
をさらに具備することを特徴とする請求項１５記載のボリューム画像化方法。
【請求項２３】
前記重み付けによって第２のデータのセットのポイントを生成するステップは、少なくとも一つの前記第４のデータのセットのポイントと少なくとも一つの前記第２のデータのセットのポイントと補間して、前記第１のデータのセットの前記スキャンデータのサブセットとともに、前記再構成において使用される補間データセットを生成することを特徴とする請求項２２記載のボリューム画像化方法。
【請求項２４】
さらに所定の期間に渡って収集された所定のデータセットによって、前記第４のデータのセットの収集と前記重み付けとを繰り返すステップをさらに具備することを特徴とする請求項２２記載のボリューム画像化方法。
【請求項２５】
前記第２のデータセットの収集は、前記第２のデータセット期間に渡って実行される直線軌道に沿ったスキャンを含むことを特徴とする請求項１５記載のボリューム画像化方法。
【請求項２６】
前記第２のデータセットの収集は、前記第２のデータセット期間に渡って実行される螺旋軌道に沿ったスキャンを含むことを特徴とする請求項１５記載のボリューム画像化方法。
【請求項２７】
被検体を中心とした実質的な円形軌道に沿って収集されたデータのセットであって、第１の時刻を中心とする第１の期間に渡って収集される少なくとも一つのスキャンデータのサブセットを有する第１のデータのセットを収集し、第２の期間に渡って第２のデータのセットを収集する手段と、
前記第１のデータセットの前記スキャンデータのサブセットと前記第２のデータセットとを使用して、前記第１の時刻において存在するボリュームデータを再構成する手段と、
を具備することを特徴とするＸ線ＣＴ装置。
【請求項２８】
前記第１のデータのセットから、第２の時刻を中心とした第２の期間に渡って収集された第２のスキャンデータのサブセットを選択する選択手段をさらに具備し、
前記再構成手段は、前記第２のスキャンデータのサブセットと前記第２のデータのセットとを使用して、前記第２の時刻において存在するボリュームデータを再構成すること、
特徴とする請求項２７記載のＸ線ＣＴ装置。
【請求項２９】
第３のデータのセットの少なくとも一ポイントと第２のデータのセットの少なくとも一ポイントとに重み付けをすることで、前記第１のデータのセットの前記スキャンデータのサブセットと共に再構成において使用される、重み付けされた第２のデータのセットを発生する重み付け手段と、
前記第３のデータのセット期間に渡って、前記第２の軌道に沿って第３のデータのセットを収集する手段と、
をさらに具備することを特徴とする請求項２７記載のＸ線ＣＴ装置。
【請求項３０】
請求項１５乃至請求項２６の何れか一項に記載されたボリューム画像化方法をコンピュータに実行させるためのプログラムを記録すること特徴とするコンピュータが読みとり可能な記録媒体。
【請求項３１】
被検体に対して、コーン形状のＸ線ビームを曝射するＸ線曝射手段と、
前記コーン形状のＸ線ビームのうち、前記被検体を透過した少なくとも一部を複数の検出素子にて検出するＸ線検出手段と、
前記被検体の周りのコーン形状のＸ線ビームの円形軌道に沿って円形投影データのセットを収集し、前記円形投影データのセットの収集の前に、前記被検体に関するコーン形状のＸ線ビームの第１の軌道に沿って第１の投影データのセットを収集し、前記円形投影データのセット及び第１の投影データのセットの収集後に、前記被検体に対して、前記第１の軌道とは異なるコーン形状のＸ線ビームの第２の軌道に沿って第２の投影データのセットを収集する、データ収集手段と、
前記円形データのセットのうち任意の時間範囲における円形投影データのサブセットを抽出する抽出手段と、
前記第１の投影データのセット及び前記第２の投影データのセットに所定の重み付けを行う重み付け手段と、
重み付けされた前記第１の投影データのセットと、重み付けされた前記第２の投影データのセットと、抽出された前記円形投影データのサブセットと、からボリュームデータを再構成する再構成手段と、
を具備することを特徴とするＸ線ＣＴ装置。
【請求項３２】
被検体の周りのコーン形状のＸ線ビームの円形軌道に沿って円形投影データのセットを収集する第１のデータ収集手段と、
前記被検体に関して、前記第１の軌道とは異なるコーン形状のＸ線ビームの第２の軌道に沿って第２の投影データのセットを収集する第２のデータ収集手段と、
前記円形軌道投影データのセット及び少なくとも前記第２の投影データのセットのうち、任意の時間範囲における円形投影データのサブセットを使用して、ボリュームデータを再構成する再構成手段と、
を具備することを特徴とするＸ線ＣＴ装置。
【手続補正２】
【補正対象書類名】明細書
【補正対象項目名】００１９
【補正方法】変更
【補正の内容】
【００１９】
本発明の第１の視点は、被検体に前記コーン形状のＸ線ビームを曝射するＸ線曝射手段と、前記コーン形状のＸ線ビームのうち、前記被検体を透過した少なくとも一部を複数の検出素子にて検出するＸ線検出手段と、前記Ｘ線検出手段が検出したＸ線に基づいて投影データのセットを収集する手段であって、第１の軌道に沿ってコーン形状のＸ線ビームを前記Ｘ線源から前記対象物に曝射して得られる第１の投影データのセットと、前記第１の軌道とは異なる第２の軌道に沿ってコーン形状のＸ線ビームを前記Ｘ線源から前記対象物に曝射して得られる第２の投影データのセットと、を収集する投影データ収集手段と、前記第１の投影データの一部を抽出する抽出手段と、前記第２の投影データに所定の重み付けを行う重み付け手段と、前記第１の投影データのセットと、重み付けされた前記第２の投影データのセットとからボリュームデータを再構成する再構成手段とを具備することを特徴とするＸ線ＣＴ装置である。